(57)【要約】【課題】ジョブを実行開始後にジョブ属性値を変更可能とするジョブ制御を行うことができる画像形成装置を提供すること。【解決手段】  画像データを不揮発保存できる画像形成装置において、・実行するジョブを不揮発保存するジョブ保存手段と、・ジョブ実行中に部数変更を行なう実行中部数設定変更手段と、を有し、前記、実行中部数設定変更手段により部数が変更された場合には、新規にジョブを生成し、部数属性のみを部数設定変更手段により変更した差分の部数として設定し不揮発保存すると共に、保存された画像データ文書を表示することにより、印刷ジョブが動作中であっても部数変更を行うことができる。【選択図】  図１
2015115805.tif 000002
【特許請求の範囲】
【請求項１】
画像データを不揮発保存できる画像形成装置において、
・実行するジョブを不揮発保存するジョブ保存手段と、
・ジョブ実行中に部数変更を行なう実行中部数設定変更手段と、
を有し、前記、実行中部数設定変更手段により部数が変更された場合には、新規にジョブを生成し、部数属性のみを部数設定変更手段により変更した差分の部数として設定し不揮発保存すると共に、保存された画像データ文書を表示するように制御することで、印刷ジョブ実行中に、属性を変更して画像データ文書保存が可能になるように制御することを特徴とする画像形成装置。
【発明の詳細な説明】
【技術分野】
【０００１】
本発明は、画像データを不揮発性の記憶装置に保存できるような構成を持つ画像形成装置に関するものである。そのような画像形成装置において、記憶装置に保存する設定になっていない既に実行中のジョブに対して、ジョブの属性を変更して記憶装置に保存できるようにすることが可能な画像形成装置に関するものである。
【背景技術】
【０００２】
市場においてハードディスクといった大容量の記憶装置を装備した画像形成装置が多数存在する。このような装置においては、スキャナから読み込まれた画像データや、ネットワーク接続されているコンピュータから送信されたＰＤＬデータを元にした画像データや、ＦＡＸ受信された画像データを画像形成装置に内蔵するハードディスクに保存するといった機能が備わっている。
【０００３】
これらの保存データは、再利用性という意味でユーザが非常に有効に利用することが可能である。再利用性という観点で例を述べると、例えば会議に使用するような文書を一旦は出力完了したものの、出席者が増えた為に部数が不足するようなケースとなった場合に、保存されている文書を再出力することにより、簡単に部数補充を行うことが出来る。
【０００４】
しかし、これらの動作の前提は、
１）画像データを記憶装置に保存する。
２）保存されている画像データを出力する。
という２つのステップの組み合わせでの実現であり、画像形成動作を実行している状態のジョブに対して、画像データを保存するように切り替えたり、部数を増減させたりするようなことは出来ない。
【０００５】
ジョブ実行中の部数変更という課題を解決するためには、以下のような先行技術が数多く提案されている。
【０００６】
動作中のジョブに対して、ジョブを停止させることなく、部数変更の操作を可能とするものが提案されている（特許文献１、特許文献２、特許文献３参照）。
【０００７】
また、ジョブを動作中のままではなく、一旦ジョブを中断させた状態に移行させ、部数の属性を変更し、ジョブを再開させるような制御についても提案されている（特許文献４参照）。
【０００８】
これらの先行技術では部数の設定変更（部数の増減）に限定するものである。
【０００９】
特許文献１ではジョブ実行中に部数変更を行うことができるが、それ以外の属性を変更したり、画像データを保存するように指定することはできない。特許文献２については、更にジョブの動作を一旦中断して設定変更を行わせる動作となるため、ユーザが設定変更の操作にかける時間を充分に確保できる反面、操作中には印刷動作が停止しているためパフォーマンスの面で不利に働く。
【先行技術文献】
【特許文献】
【００１０】
【特許文献１】特許第３６１４３６３号明細書
【特許文献２】特許第４００２７０３号明細書
【特許文献３】特開平７−７４９０３号公報
【特許文献４】特開平１０−１７８５１０号公報
【発明の概要】
【発明が解決しようとする課題】
【００１１】
そこで、本発明では、ジョブの実行中に部数変更が設定できるのはもちろんのこと、それ以外のジョブ属性についても設定変更可能とする。また、ユーザが設定変更する場合でも動作中のジョブとは別の新たなジョブを生成するように制御するため、ユーザが設定変更の操作にかける時間を充分に確保できる一方で、動作中のジョブは中断することなく動き続けるのでパフォーマンス面でも不利になることはなくなる。更に画像データが記憶装置に保存されるため、実行中のジョブが終了した後でも、画像データの再利用性も上げることが可能となる。
【課題を解決するための手段】
【００１２】
上述した課題を解決するために、本発明の請求項１の画像データを不揮発保存できる画像形成装置において、
・実行するジョブを不揮発保存するジョブ保存手段と、
・ジョブ実行中に部数変更を行なう実行中部数設定変更手段と、
を有し、前記、実行中部数設定変更手段により部数が変更された場合には、新規にジョブを生成し、部数属性のみを部数設定変更手段により変更した差分の部数として設定し不揮発保存すると共に、保存された画像データ文書を表示するように制御することで、印刷ジョブ実行中に、属性を変更して画像データ文書保存が可能になるように制御する。
【発明の効果】
【００１３】
ジョブ実行中に部数変更が可能となり、ユーザの様々なユースケースにおいて作業効率を向上させることが可能となる。また保存された画像データ文書の再利用性の向上にもつながる。
【図面の簡単な説明】
【００１４】
【図１】本発明の最も特徴となるジョブ制御図
【図２】ジョブ属性変更を示す画像形成装置の操作パネルの図
【図３】画像形成装置断面図
【図４】コントローラハード構成図
【図５】操作パネルハード構成図
【図６】操作パネル表示（基本画面）
【図７】フォローチャート
【発明を実施するための形態】
【００１５】
［実施例１］
以下に、本発明の実施の形態について図面を用いて説明する。図１は、本発明の最も特徴となるジョブ制御の図である。図１の上図は、ジョブ属性の中の部数属性を増加させた場合を示している。左から右に時間軸の時刻ｔとし、まず最初に１０１のオリジナルジョブが投入される。図では部数＝９のジョブが投入された状態である。左から順番に１部目、２部目が印刷動作を行い、３部目の印刷動作中のタイミングで部数を１２に変更（＋３）した場合、オリジナルジョブはそのまま印刷動作を続ける一方で、１０２の部数変更ジョブを新規に生成する。
【００１６】
部数はユーザにより、９から１２へと変更されているので＋３部となるので、１０２の部数変更ジョブは部数＝３のジョブとなる。部数属性以外はオリジナルジョブと同一の属性としてボックスへと保存される。ボックスとは後述するが、記憶装置である図４の４４０のハードディスクであり、ボックスに保存された画像データは図６の６０２のボックスボタンを押下することにより表示されるボックス画面で、保存された画像データを参照／編集することが可能である。部数変更ジョブはボックス保存の処理が完了したタイミングで、操作パネル上にボックス画面の該当の画像データ文書が選択された状態で表示されるように制御する。
【００１７】
この間もオリジナルジョブは動作を継続している。１０２のジョブを動作させたい場合は、ボックス画面からジョブ投入を行うと１０３で示すように、オリジナルジョブの終了に引き続き、部数変更ジョブを実行することができる。結果として、オリジナルジョブの９部と部数変更ジョブの３部の合わせて１２部の出力を得ることが可能となる。
【００１８】
次に図１の下図は、ジョブ属性の中の部数属性を減少させたい場合を示している。上図と同様横軸に時刻ｔとし、１０４の部数＝７のオリジナルジョブが投入され、３部目の出力中に部数を３に変更した場合を示している。部数を−４に設定変更したため、３部目の出力完了に合わせてオリジナルジョブはジョブキャンセルする。更に部数を変更した差分の部数＝４のジョブを新規に１０５の部数変更ジョブとして生成し、ボックスへと保存するように制御する。オリジナルジョブは３部出力で停止するが、部数変更ジョブとして部数＝４のジョブが保存されている状態で操作パネル上にボックス画面の該当の画像データ文書が選択された状態で表示される。
【００１９】
部数変更ジョブはユーザの操作を行わなければ、印刷動作を開始することはないので、ユーザに対しては部数を変更してジョブが終了したことと同じ状態となる。もし減算した分の部数をもう一度印刷したい場合はボックスの該当文書をプリントすることも出来るし、更に部数変更して出力することも可能である。この図の例で言えば、部数＝４のジョブとして部数変更ジョブとして保存されているが、更に部数を変更して印刷することも可能である。
【００２０】
次に、図２のジョブ実行中に属性変更を行う操作パネルの図を用いて、実行中部数設定変更手段について説明する。２０１はジョブの実行中を示す。基本画面の上にプリント中を示すダイアログが表示されている。プリント中のダイアログ中の２０３で示すボタンが設定変更を行うためのボタンである。このボタンを押下すると２０２の操作パネルの画面へと移行する。
【００２１】
画面が移行しても実行中のジョブは印刷動作を継続している。２０２の画面では、２０４に設定変更が可能な項目が表示される。２０５が部数の設定変更を行う画面である。別途用意されているハードキーのテンキー（図５の５０４）を用いて設定変更することが出来る。２０１では部数＝１０のオリジナルジョブが投入されているため、２０５で表示される値は１０となっているが、この値を増減することにより部数変更が可能となる。部数＝１７へと変更した場合の図が２０６である。
【００２２】
変更部数以外に用紙選択／仕上げ／カラー調整／両面の指定など様々なジョブ属性を変更することが可能である。設定値を変更し、２０８（あるいは２０９）の閉じるキーを押下すると、２１１の図へと遷移する。２１１は部数変更により新規に作成された部数変更ジョブである。２１２の詳細情報のボタンを押下すると２１３の画面に遷移する。ここではジョブの属性詳細を参照することができる。２１３では部数＝７となっており、オリジナルジョブの部数＝１０に対して部数変更１７に変更したことにより、部数変更ジョブの部数は差分の７となっている。
【００２３】
新規に生成された２１１のジョブは２１４のプリントボタンを押下することにより、１０３で示した部数変更ジョブとしてオリジナルジョブに続いて印刷動作を行うようにすることもできるし、２１５の閉じるボタンを押下すれば、ボックス保存されているが実行は行わないということも出来る。その場合はオリジナルジョブのプリント中画面に戻る。
【００２４】
次に２０５で部数を減少させた場合の例を２０７に示す。オリジナルジョブの部数＝１０に対して部数＝３に変更した状態である。この状態で２１０閉じるボタンを押下すると２１１へ遷移し、２１２の詳細情報ボタンを押下すると、２１３で差分の部数である７の新規ジョブが保存された状態となる。
【００２５】
これらの部数変更ジョブは、オリジナルジョブが終了した後でも、ボックスには保存された状態となっているため、２１６で示すようにボックス画面から任意のボックス番号２１７のいずれかを選択することにより画像データ文書を再利用することができることは言うまでもない。
【００２６】
次に、本発明を実施する画像形成装置全体について図３を用いて説明する。この複合機は、コピー・プリンタ・FAXのそれぞれの機能を有している。図３において、本複合機はスキャナ３０１とドキュメントフィーダ（ＤＦ）３０２と、カラー４色ドラムを備えるプリント記録用のプリントエンジン３１３と、給紙デッキ３１４とフィニッシャ３１５からなる。
【００２７】
はじめにスキャナ３０１を中心に行われる読取り動作について説明する。原稿台に原稿をセットして読み込みを行なう場合には、原稿台３０７に原稿をセットしてＤＦ３０２を閉じる。すると、開閉センサが原稿台が閉じられたことを検知した後、スキャナ３０１の筐体内にある反射式の原稿サイズ検知センサが、セットされた原稿サイズを検知する。このサイズ検知を起点にして光源３１０で原稿を照射し、反射板３１１、レンズ３１２を介してＣＣＤ３４３が画像を読み取り、しかる後デジタル信号に変換され、所望の画像処理を行なってレーザ記録信号に変換される。変換された記録信号は、後述する図４で説明するコントローラ内のメモリに格納される。
【００２８】
ＤＦ３０２に原稿をセットして読み込みを行なう場合には、ＤＦ３０２の原稿セット部３０３のトレイに原稿をフェースアップで載置する。すると、原稿有無センサ３０４が、原稿がセットされたことを検知し、これをうけて原稿給紙ローラ３０５と搬送ベルト３０６が回転して原稿を搬送し、原稿台３０７上の所定の位置に原稿がセットされる。これ以降は原稿台での読み込みと同様に画像が読み込まれ、コントローラ内のメモリに格納される。
【００２９】
読み込みが完了すると、再び搬送ベルト３０６が回転して図の右側に原稿を送り、排紙側の搬送ローラ３０８を経由して原稿排紙トレイ３０９へ排紙する。原稿が複数存在する場合は、原稿台から原稿が図の右側に排紙搬送されるのと同時に、給紙ローラ３０５を経由して左側から次原稿が給送され、次原稿の読み込みが連続的に行なわれる。以上がスキャナの動作である。
【００３０】
続いてプリンタ３１３を中心に行われる印刷動作について説明する。図４で説明するコントローラ内のメモリ一旦記憶された記録信号（印刷画像データ）は、プリンタ３１３へと転送され、レーザ記録部でYellow、Magenta、Cyan、Blackの4色の記録レーザ光に変換される。そして、各色の感光体３１６に照射され、感光体に静電潜像を形成する。そして、トナーカートリッジ３１７から供給されるトナーによりトナー現像を行い、可視化された画像は中間転写ベルト３２１に一次転写される。
【００３１】
その後中間転写ベルト３２１は時計回転方向に回転し、用紙カセット３１８、あるいは給紙デッキ３１４から給紙搬送路３１９を通って給送された記録紙が二次転写位置３２０に来たところで、中間転写ベルト３２１から記録紙へと画像が転写される。画像が転写された記録紙は、定着器３２２で、加圧と熱によりトナーが定着され、排紙搬送路を搬送された後、フェイスダウンのセンタートレイ３２３か、スイッチバックしてフィニッシャへの排紙口３２４か、あるいはフェイスアップのサイドトレイ３２５へと排紙される（但しサイドトレイ３２５はフィニッシャ３１５が未装着の場合にのみ排紙可能な排紙口である）。
【００３２】
フラッパ３２６および３２７は、これらの排紙口を切り替えるために搬送路を切り替えるためのものである。両面プリントの場合には、定着器３２２を通過後に、フラッパ３２７が搬送路を切り替え、その後用紙がスイッチバックして下方に記録紙が送られ、両面印刷用紙搬送路３３０を経て再び二次転写位置３２０に給送され、両面動作を実現する。
両面循環制御は、この両面印刷用紙搬送路３３０や二次転写位置３２０、定着器３２２を含む搬送経路内を用いて行われる。A4サイズやLTRサイズは５枚循環制御、それ以上の用紙サイズについては３枚循環制御を行う。
【００３３】
続いてフィニッシャ３１５で行われる動作について説明する。フィニッシャ３１５では、ユーザに指定された機能に応じ、印刷済み用紙に対して後処理を加える。具体的には、ステープル（1個所・2箇所綴じ）やパンチ（2穴・3穴）、中とじ製本等の機能を有する。図３の複合機には排紙トレイ３２８は２つ有り、フィニッシャ３１５への排紙口３２４を通過してきた記録紙は、ユーザの設定によって、例えばコピー・プリンタ・FAXの機能毎に排紙トレイを振り分けられる。プリンタとして利用される場合、ドライバにより白黒プリント/カラープリント、用紙サイズ、２ＵＰ・４ＵＰ印刷・Ｎ-ＵＰ印刷、両面、ステープル、パンチ、中とじ製本、合紙、表紙、裏表紙などの各種設定が可能である。
【００３４】
次に画像形成装置のスキャナ部やプリンタ部、ネットワークインタフェース部の制御を行うコントローラのハード構成の詳細について図４を用いて説明する。
【００３５】
メインコントローラ４０１は、主にＣＰＵ４０２と、バスコントローラ４０３、及び各種I/Fコントローラ回路から構成される。
【００３６】
ＣＰＵ４０２とバスコントローラは、機器全体の動作を制御するものであり、ＣＰＵ４０２はＲＯＭ４０４からＲＯＭＩ/Ｆ４０５を経由して読込んだプログラムに基いて動作する。また、ＰＣから受信したＰＤＬ（ページ記述言語）コードデータを解釈し、ラスターイメージデータに展開する動作も、このプログラムに記述されており、ソフトウェアによって処理される。バスコントローラ４０３は各I/Fから入出力されるデータ転送を制御するものであり、バス競合時の調停やＤＭＡデータ転送の制御を行う。
【００３７】
ＤＲＡＭ４０６はＤＲＡＭ Ｉ/Ｆ４０７によってメインコントローラ４０１と接続されており、ＣＰＵ４０２が動作するためのワークエリアや、画像データを蓄積するためのエリアとして使用される。
【００３８】
コーデック４０８は、ＤＲＡＭ４０６に蓄積されたラスターイメージデータをＭＨ/ＭＲ/ＭＭＲ/ＪＢＩＧ/ＪＰＥＧ等の方式で圧縮し、また逆に圧縮され蓄積されたコードデータをラスターイメージデータに伸長する。ＳＲＡＭ４０９はコーデック４０８の一時的なワーク領域として使用される。コーデック４０８はＩ/Ｆ４１０を介してメインコントローラ４０１と接続され、ＤＲＡＭ４０６との間のデータの転送は、バスコントローラ４０３によって制御されＤＭＡ転送される。
【００３９】
グラフィックプロセッサ４２４は、ＤＲＡＭ４０６に蓄積されたラスターイメージデータに対して、画像回転、画像変倍、色空間変換、二値化の処理をそれぞれ行う。ＳＲＡＭ４２５はグラフィックプロセッサ４２４の一時的なワーク領域として使用される。グラフィックプロセッサ４２４はＩ/Ｆを介してメインコントローラ４０１と接続され、ＤＲＡＭ４０６との間のデータの転送は、バスコントローラ４０３によって制御されＤＭＡ転送される。
【００４０】
ネットワークコントローラ４１１はＩ/Ｆ４１３によってメインコントローラ４０１と接続され、コネクタ４１２によって外部ネットワークと接続される。ネットワークとしては一般的にイーサネット（登録商標）があげられる。
【００４１】
汎用高速バス４１５には、拡張ボードを接続するための拡張コネクタ４１４とＩ/Ｏ制御部４１６とが接続される。汎用高速バスとしては、一般的にＰＣＩバスがあげられる。Ｉ/Ｏ制御部４１６には、スキャナ部、プリンタ部の各ＣＰＵと制御コマンドを送受信するための調歩同期シリアル通信コントローラ４１７が２チャンネル装備されており、Ｉ/Ｏバス４１８によってスキャナＩ/Ｆ回路４２６，プリンタＩ／Ｆ回路４３０に接続されている。
【００４２】
パネルＩ/Ｆ４２１は、ＬＣＤコントローラ４２０に接続され、操作部上の液晶画面に表示を行うためのＩ/Ｆと、ハードキーやタッチパネルキーの入力を行うためのキー入力Ｉ/Ｆとから構成される。
【００４３】
操作部５０１は液晶表示部と液晶表示部上に張り付けられたタッチパネル入力装置と、複数個のハードキーを有する。タッチパネルまたはハードキーにより入力された信号は前述したパネルＩ/Ｆ４２１を介してＣＰＵ４０２に伝えられ、液晶表示部はパネルＩ/Ｆ４２１から送られてきた画像データを表示するものである。液晶表示部には、本画像形成装置の操作における機能表示や画像データ等を表示する。
【００４４】
リアルタイムクロックモジュール４２２は、機器内で管理する日付と時刻を更新/保存するためのもので、バックアップ電池４２３によってバックアップされている。
【００４５】
Ｅ-ＩＤＥインタフェース４３９は、外部記憶装置を接続するためのものである。本実施例においては、このＩ/Ｆを介してハードディスクドライブ４３８を接続し、ハードディスク４４０へ画像データを記憶させたり、ハードディスク４４０から画像データを読み込む動作を行う。コネクタ４２７と４３２は、それぞれスキャナ部とプリンタ部とに接続され、同調歩同期シリアルＩ/Ｆ（４２８，４３３）とビデオＩ/Ｆ（４２９，４３４）とから構成される。
【００４６】
スキャナＩ/Ｆ４２６は、コネクタ４２７を介してスキャナ部と接続され、また、スキャナバス４４１によってメインコントローラ４０１と接続されており、スキャナ部から受け取った画像に対して所定の処理を施す機能を有し、さらに、スキャナ部から送られたビデオ制御信号をもとに生成した制御信号を、スキャナバス４２９に出力する機能も有する。スキャナバス４２９からＤＲＡＭ４０６へのデータ転送は、バスコントローラ４０３によって制御される。
【００４７】
プリンタＩ/Ｆ４３０は、コネクタ４３２を介してプリンタ部と接続され、また、プリンタバス４３１によってメインコントローラ４０１と接続されており、メインコントローラ４０１から出力された画像データに所定の処理を施して、プリンタ部へ出力する機能を有し、さらに、プリンタ部から送られたビデオ制御信号をもとに生成した制御信号を、プリンタバス４３１に出力する機能も有する。
【００４８】
ＤＲＡＭ４０６上に展開されたラスターイメージデータのプリンタ部への転送は、バスコントローラ４０３によって制御され、プリンタバス４３１、ビデオＩ/Ｆ４３４を経由して、プリンタ部へＤＭＡ転送される。
【００４９】
ＳＲＡＭ４３６は、バックアップ用電池から供給される電源により、装置全体が電源遮断されても記憶内容を保持できる構成となっているメモリであり、バス４３５を介してＩ/Ｏ制御部と接続されている。ＥＥＰＲＯＭ４３７も同様にバス４３５を介してＩ/Ｏ制御部と接続されているメモリである。コントローラのハード構成の詳細は以上である。
【００５０】
次に各種印刷設定を行なう操作部について説明する。図５の５０１に示すような操作部が図４の４２１のパネルＩ／Ｆの先に接続されている。５０２はユーザが設定した設定値などを取り消すためのリセットキーである。５０３は動作中のジョブを中止させる時に使用するストップキーである。５０４は置数などの数値入力を行うためのテンキーである。５０５はタッチパネル式の操作画面であり、具体的には図６で示すような画面を表示する。各種設定をするためのタッチパネルのボタンが多数存在する。５０６は原稿の読み込みなどジョブをスタートさせるためのスタートキーである。５０７は設定などをクリアするためのクリアキーである。以上が操作部の各部の説明である。
【００５１】
５０５のタッチパネルに表示される内容について図６を用いて説明する。画面上部に表示されているタグ６０２は各機能を選択する。左から順に、コピー機能、ＦＡＸ送信やＥメール送信、ファイルサーバへの送信などの送信機能、スキャナ部で読み込んだ画像データを機器内のハードディスクに格納したり、格納されたデータの操作やプリントを行なうことが出来るボックス機能、ネットワーク経由でＰＣから操作してスキャン画像をＰＣに取り込むことが出来るリモートスキャナ機能である。各機能のタグを選択することによりそれぞれの詳細設定が出来る画面に遷移する。図示したものはコピー機能の画面である。
【００５２】
６０３は色モードを選択するボタンであり、押下することによりプルダウンメニューが表示され、カラー／モノクロ／自動から選択可能である。図では”自動”が選択された状態となっている。その他、倍率指定ボタン６０４、用紙選択ボタン６０５、シフトソートやステイプルソートなどフィニッシング指定を行なうソータボタン６０６、両面指定を行なう両面ボタン６０７、濃度を指定するバー６０８、原稿タイプを選択するボタン６０９、その他各種の応用モードを設定する応用モードボタン６１０などが配置されている。
【００５３】
最後に本発明の動作を図７のフローチャートを用いて説明する。７０１のスタートから、７０２でジョブ実行をする。最初の７０２はオリジナルジョブの実行となる。次に７０３でプリント実行中のダイアログ画面から設定変更が選択されたかをチェックし、選択されていない場合は７０４へと遷移する。７０４では後述する７０９での差分情報があるかをチェックした結果で７０５で部数属性を修正するかどうかを決定する。７０５で部数属性を修正するのは部数変更で部数を減少させた場合である。部数を変更しない、あるいは増加させた場合には７０４から７０５を経由せずに７０６へと遷移し、ジョブが終了したかどうかを判断する。
【００５４】
ジョブ終了していない場合には７０３へ戻り、前述した制御を繰り返す。７０６でジョブが終了したと判断した場合には７０７のエンドで終了となる。以上が部数変更がされずに印刷動作を行う場合のフローである。次に７０３で設定変更をした場合は、７０８へと遷移し、部数を減少したかを判断する。減少した場合はオリジナルジョブを図１の１０４で示したとおり、所定の部の切れ目で終了させる必要があるため、そのための情報を７０９で部数差分情報として保持する。保持された情報がある場合には、オリジナルジョブは先ほど説明した７０４から７０５へと遷移し部数属性を修正してジョブを継続する。部数変更された、部数変更ジョブは７１０で設定変更した属性を持つ新規のジョブを生成し、ボックス文書として保存される。
【００５５】
保存された文書は７１２で操作パネルにボックス文書画面を表示（図２の２１１）する。プリントが必要な場合は、７１３でプリント開始ボタンを押下することにより、７１３から７０２へと遷移しジョブ実行される。部数変更ジョブはオリジナルジョブが動作している場合には、オリジナルジョブの終了を待って次ジョブとして７０３、７０４、７０５、７０６のフローを遷移する。７１３でプリント開始をしない場合は、ボックスに保存されただけで印刷動作は行わないことになり７０６へと遷移し、オリジナルジョブのジョブ終了待ちとなる。本フローチャートでは、７０２〜７０６のジョブ実行中のフローに、オリジナルジョブと部数変更ジョブの両方の制御フローが混在することになるが、以上が、図１のジョブ制御の図や、図２の操作パネルの図で説明した制御を、フローチャートの形で説明したものとなる。
【００５６】
以上のような制御を行うことにより、ジョブ実行中に部数変更が可能となり、ユーザの様々なユースケースにおいて作業効率を向上させることが可能となる。また保存された画像データ文書の再利用性の向上を実現することが可能となる。
【符号の説明】
【００５７】
１０１  オリジナルジョブ
１０２  部数変更ジョブ
【図１】
2015115805.tif 000003
【図２】
2015115805.tif 000004
【図３】
2015115805.tif 000005
【図４】
2015115805.tif 000006
【図５】
2015115805.tif 000007
【図６】
2015115805.tif 000008
【図７】
2015115805.tif 000009